(57)【要約】【課題】本発明は、高電圧直流電気を荷電して作るイオン化液を蓄溜する液槽から、液供給源にリークするのを完全に阻止できるイオン化液製造装置を提供するものである。【解決手段】液供給源から液を供給するポンプと、ポンプと連結された液供給路の先端に配した放液機材と、該放液機材の下に、高電圧直流電圧を印加される通電性材から成る籠を収納した絶縁材で支持された液槽を配し、該液槽中で高電圧直流電圧を印加されてイオン化液とされた液を、アースされたモーターの回転軸と、絶縁材で回転軸を連結したポンプを絶縁材で支持された状態で配置した排出機構を介在させて排出するように構成した。【選択図】　図２
2004081977.tif 000002
【特許請求の範囲】
【請求項１】
供給源の液を液供給路に送り出すポンプを備え、そのポンプからの液供給通路に絶縁材を介在させ、その液供給路の先端に放液機材を取り付け、その放液機材の下に、放液機材から間隔をおいて、高電圧の直流電源より荷電できるように構成した導電性材料から成る籠を絶縁材を介在させて収納できるようにした液槽を絶縁材で支持された状態で配し、該液槽からの液排出装置を、液槽に配した排出パイプの適宜箇所に、絶縁材で支持されたポンプを配し、該ポンプは、該ポンプの回転軸を絶縁材を介してアースされたモーターの回転軸に連結して駆動できるようにし、前記ポンプにはイオン化液排出管を連結したことを特徴とする荷電したイオン化液の製造装置。
【請求項２】
前記液槽には、液槽の内側に籠との隙間を作る絶縁材を配する構成としたことを特徴とする請求項１に記載した荷電したイオン化液の製造装置。
【請求項３】
前記液槽に収容する籠には、籠の外側に液槽の内側との隙間を作る絶縁材を配する構成としたことを特徴とする請求項１に記載した荷電したイオン化液の製造装置。
【請求項４】
前記液槽に配したイオン化液排出管の先端には噴霧機構を設け、その下にはアースされた回収槽を配することを特徴とする請求項１に記載したイオン化液の製造装置。
【請求項５】
前記液槽に配したイオン化液排出管の先端には放液機材を設け、その下には、アースされた回収槽を配したことを特徴とする請求項１に記載したイオン化液の製造装置。
【請求項６】
前記液供給通路の適宜個所に、水、水に酸化、アルカリ、窒素酸化物等に対する反応促進剤等を注入するポンプと連結したことを特徴とする請求項１に記載のイオン化液の製造装置。
【発明の詳細な説明】
【０００１】
【発明が属する技術分野】
本件発明は、水、水に酸化、アルカリ、窒素酸化物等に対する反応促進剤等を混合した液や、水その他の所望の液体を、イオン化した液体として製造する装置に関する発明である。
【０００２】
【従来の技術】
従来のイオン化水を製造する装置には、特公開０９−０２３７５号、同１０−１６５９５９号公報に開示された技術がある。
【０００３】
本発明は、もともとは特公平２−２３２２０号に開示された発明の供給水路の不都合を解消しようと研究中に開発されたものである。前記発明の供給水路は図１に図示するとおり、水供給源から水を汲み込んで供給するポンプ１（アース側）と荷電供給部２の間をホース３で繋いでいた。
【０００４】
そのホース３は、水供給源からポンプ１を介在して荷電供給部２を通過して静電噴霧部４まで液を供給するホース３であるが、荷電供給部２で、荷電供給部２を通過する水に高電圧直流電気発生装置５からの電圧印加をして荷電するとき、その荷電圧がホース３中の水を通して水供給源までリークするのをホース３中に流れる水の電気抵抗を利用してを最小値にするため、水の供給路であるホース３をそのホース３の長さを許容される範囲の長尺のものを使用していた。そのホースの使用の態様は、水供給源から水を汲み込んで供給するポンプ３と荷電供給部２の間になるべく場所をとらないよう、ホース３をコイル状に巻いて配置していた。このホースを許容される範囲で長くするため、場合によっては、コイル状に巻いたホース３を複数個連結して配置する必要があるときは、それだけの設置場所を要することになっていた。
【０００５】
ところで、コイル状に巻いたホース３の中は、常時水が流れ、或はその流れを停止した状態でも水が存在する。従って温度変化によってホース３の表面に結露が生じ、ホース３の絶縁は保持されなくなると言う不都合が生じた。これを阻止するため、耐電圧用シリコンをホース表面に塗布したりしなければならなかった。
更に、抵抗値の低い、例えば再生液については、上記手段を使用することができなかった。
【０００６】
本発明は、この不都合を解消しようと研究中に、ホース３の先端に設けた荷電供給部２を通過した水は、その時点で高電圧を荷電されることによってイオン化水となることに着目して成された発明である。
【０００７】
【発明が解決しようとする課題】
本発明は、前記した特公開０９−０２４３７５３号、同１０−１６５９５９号公報に開示された発明にかかる従来技術とは基本原理を異にし、全く新しい原理に基き開発した発明であって、しかも、荷電したイオン化液中のカルシウム塩類も除去し且つ、殺菌したイオン化液を製造できる装置を提供しようとするものであり、更に、液供給源から供給する液に酸化、アルカリ、窒素酸化物の反応促進剤を混合した液をイオン化液とすることもできるようにした装置を提供しようとするものである。
【０００８】
【課題を解決するための手段】
水（液）供給通路の先端に取り付けた噴霧機構の下に、間隔をおいて直流高電圧を荷電できるように構成した導電性材料から成る籠を絶縁材を介在させて収納出来るようにした液槽を絶縁材で支持された状態で配し、該液槽からの液排出装置を液槽に配した排出パイプの適苴箇所に、絶縁材で支持されたポンプを配し、該ポンプの駆動は、該ポンプの回転軸を絶縁材を介してアースされたモーターの回転軸に連結して駆動出来るようにしたこと、並に、前記籠には、
籠の外側に水（液）槽の内側との隙間を作る絶縁材を配する構成としたこと、
並に、前記液槽には、液槽の内側に籠との隙間を作る絶縁材を配する構成としたこと、並に、前記籠には、籠の外側に液槽内側との隙間を作る絶縁材を配する構成としたこと、並に、前記液槽に配したイオン化液排出管の先端に取り付けた噴霧機材の下にはアースされた回収槽を配する構成としたこと、並に、酸化、アルカリ、窒素酸化物等に対する反応促進剤等を注入するポンプを液供給路に連結したイオン化液製造装置。
【０００９】
【実施例】
供給源の液を送り出すポンプ１１から放液機材１２の間には絶縁機材（図示しない）を介在させた液供給路１３が配されている。本発明が言う放液機材は、液を霧状に噴霧するのではなく雨状の液滴として放射する機具である。これは市販されているものである。
本発明で言う液とは、水並に水に酸化、アルカリ、窒素酸化物等に対する反応促進剤等を混合した液或はそれ以外の所望の液体を指す。
【００１０】
放液機１２の下には、放液機材１２から所定の間隔をあけて絶縁材Ｘで支持された液槽１４が配されている。該液槽１４の中には、高電圧直流電気発生装置１５からケーブル１５Ａを連結した通電性材料で作られた籠或は、側面や底面に多数の孔をあけた容器１６（以下、これを以下単に籠と言う）が収納されるようになっている。
【００１１】
前記液槽１４の内側には、適宜の箇所に、前記した籠１６の側面や底が前記液槽１４の内側面、底面と接触するのを防止する絶縁材１７が取付けられている。
前記した絶縁材１７は籠１６の外側の適宜箇所に取り付けてもよい。
【００１２】
前記液槽１４から液を排出する装置は、排出通路に絶縁材で支持されたポンプ１８を配し、そのポンプ１８の回転軸は、アースされたモーター１９の回転軸とを絶縁材２０を介在させて連結して形成したポンプ機構に液槽１４からのパイプ２１を介在させて構成する。
【００１３】
この配置関係は図３に示すように、絶縁材Ｘを以て支持された架台Ｙに液槽１４、ポンプ１８を配し、該ポンプ１０を絶縁材２０を介在させてアースされたモーター１９を配する構成としてもよいことは勿論である。
【００１４】
排出通路を構成するパイプ２１の末端に配されたポンプ１８からは、イオン化液排出管２２が形成され、イオン化液排出管２２は、貫通碍子２３を介在させて静電噴霧装置、或は放液機材等にイオン化液を供給するようになっている。
【００１５】
前記した構成の装置を以て液をイオン化する手順を説明する。
まず、前記した籠１６を収納した液槽１４に、液供給源からポンプ１１を以て、液を所定の液位に達するまで放液機構１２から供給する。
【００１６】
前記した操作に併行して、絶縁材で支持された液槽１４に収納された通電性材で作られた籠１６に電源である高電圧直流電気発生装置１５からケーブル１５Ａを通して高電圧直流電気を荷電する。
【００１７】
前記した籠１６を収納した液槽１４に、所定の水位に達するまで液を供給する状態を説明する。
液供給源からポンプ１１を以って絶縁材を介在させた液供給通路１３の先端に配置された放液機材１２から前記した籠１６を収納した液槽１４に向かって供給された液が雨状の液滴として放射される。
【００１８】
この放水機材１２を通しての液供給は、絶縁体である空気或はガス中を放液機材口の下に、所定の間隔を置いて配置された籠１６を収納した液槽１４に向かって降雨状態で放射するのであるから、前記した籠１６を収納した液槽１４内に貯留された液は高電圧直流電気を印加された液となっても、その液からの高電圧直流電気が放液機材１２に向かってリークするのを阻止することができる。本発明の特徴はこの点にある。
【００１９】
前記液槽１４に、水位検知装置２４を配置し、液槽１４内に貯留するイオン化液が液槽１４内で所定の水位に達したときは、この水位検知装置２４を作動させて液供給通路１３から放液機材１２に供給する供給液の供給を停止させる。また、その液の水位が所定の水位下になったときは、所定の水位に達するまで前記したような手段で液の供給を行えるようにする。
【００２０】
前記した籠１６を収納した液槽１４中に貯留された液は、前記した籠１６に荷電された高電圧直流電気を印加された状態で液槽１４内に貯留されることになるのでイオン化液となる。また、イオン化液中の菌は、高電圧直流電気を印加されることにより殺菌される。
【００２１】
更に、液供給源から供給される液中に含まれるカルシウム塩類は、前記した籠１６には、高電圧直流電気が荷電されているので、前記した高電圧直流電気を荷電した籠１６の面に付着する。前記籠１６に付着したカルシウム塩類は、籠１６を液槽１４から取り出してこれをはたくことによって前記籠１６から取り除くことが出来る。液槽１４と前記した籠１６とは絶縁材６が介在されているので、カルシウム塩類は液槽内壁に付着するのを防止出来る。
【００２２】
尚、明細書中に記載した液とは、液供給通路１３とその先端に取り付けた放液機材１２の間の適宣個所に、酸化、アルカリ、窒素酸化物等に対応する反応促進剤を混合する供給ポンプ２５を配し、必要に応じて該装置ポンプ２５から、前記反応促進剤を必要量だけ供給液に供給できるようにし、供給液を前記反応促進剤の混合液とすることができる。
この混合液は、前記手段でイオン化した混合液とすることができる。
【００２３】
上記した手段で製造したイオン化液は、高電圧直流電気が印加されたイオン化液であり、これを液槽１４から排出する手段は次の通りである。
【００２４】
前記籠１６を収納した液槽１４内に所定の液位まで貯留された荷電液であるイオン化液の排出装置は、前記した液槽１４から所定の排出箇所に向けて配設したイオン化液排出路の中間にアースされた状態で設置されたモーター１８の回転軸と絶縁材で支持されたポンプ１８の回転軸とを絶縁材２０を介在させて連結して構成するポンプ機構を介在させて構成されている。
【００２５】
前記ポンプ機構による液の排出は、モーター１９を駆動させ、ポンプ１８を稼動させて前記した籠１６を収納した液槽１４内に貯留された荷電されたイオン化液をパイプ２１からポンプ１８を通してイオン化液排出管２２から所定の排出箇所に向けて排出する。
この際、モーター１９とポンプ１８は、モーター１９はアースされ、ポンプ１８は絶縁材Ｘを以て支持され、モーター１９とポンプ１８の双方の回転軸を絶縁材２０を介在させて連結してあるので、イオン化液排出路を通して排出される荷電されたイオン化液からモーター１９に向かった高電圧直流電気のリークを阻止することができる。
前記ポンプ１８には貫通碍子２３を介在させたイオン化液排出管２２が繋がれている。
【００２６】
前記したイオン化液をイオン化液排出管２２から、例えば静電集塵機方式に構成した静電噴霧装置に供給する。
静電噴霧装置から噴霧されたイオン化液は、静電噴射される。アースされた回収槽に集められたイオン化液は、クラスターは微粒化されて界面活性作用がありオイルヒューム、撥水性のカーボン等をスラリーとして回収することが出来るが、更に反応促進剤を混合することによって多くのプロセスに活用することが可能である。
アースされた回収槽に集められたイオン化液は、高電圧直流電気を除去したイオン化液として集められる。前記したとおり、本発明は従来の静電集塵機の供給水路を改良するための研究中に開発された装置であるから静電集塵機の供給水装置としても使用できる。
前記した工程で作られて、前記した液槽１４に貯留されたイオン化液を、イオン化液排出管２２の先端に取り付けた放液機材から、空気中を通して該放液機構の下に設置されたアースされた回収槽に放出させることによって該回収槽に放出されて貯留された放出液を荷電されないイオン化液とすることが出来る。
【００２７】
【発明の効果】
本発明は、上記のように構成されているところから、まず、装置の構造は簡単で、安価なイオン化液製造装置を提供できる。その装置は上記の構造であるから高電圧直流電気のリークを阻止してイオン化液を安全に造ることができる。しかも、そのイオン化液の殺菌を完全にし、更にカルシウム除去が必要な場合、そのイオン化液に含むカルシウム塩類を簡単に減量することができる。
尚、本発明はもともと静電集塵機の供給液路の不都合を解決するために開発された発明であるので、静電集塵機の供給液路に利用できる。
液とは、水を含む液体のことで、また、高電圧直流電気とは７５０Ｖ以上の高電圧及び７，０００Ｖ以上の直流特別高電圧である。
【図面の簡単な説明】
【図１】電気集塵機に配した従来の水供給路の略図
【図２】本発明の１実施例を示す略図
【符号の説明】
１１．給水ポンプ
１２．噴霧機材
１３．液供給通路
１４．液槽
１５．高電圧直流電源
１６．籠
１８．ポンプ
１９．モーター
２０．絶縁材
２２．イオン化液排出管
２３．貫通碍子
２５．添加液注入ポンプ
２４．水位調節器
Ｘ．絶縁材
Ｙ．架台
【図１】
2004081977.tif 000003
【図２】
2004081977.tif 000004